(57)【特許請求の範囲】
【請求項１】
容器の中心軸にほぼ平行で、刺激効果炸薬を収容する複数の隔室を有する円筒形容器と、円筒形容器の上側に配置され、刺激効果炸薬を時系列順に点火する手動駆動式の発火装置とを備える手榴弾の形の刺激体であって、全隔室（６）が容器（４）の上側で密閉され、反対側の容器（４）の底側で、下方向に開口し、周方向に配置された複数の外方向開口部（２２）を有する共通の室（１８）に向かって開いていることを特徴とする刺激体。
【請求項２】
下方向に開口する室（１８）が円筒形容器（４）の延長部として配置される請求項１に記載の刺激体。
【請求項３】
室（１８）の軸方向の長さが容器（４）の軸方向長さの５分の１〜３分の１である請求項１に記載の刺激体。
【請求項４】
上記容器（４）が刺激効果炸薬（８）用の隔室と、中心の発火ダクト（１４）と、下方向に開口する室（１８）と、容器の上側から突出する延長部分（９）とを有する一体型の容器であり、延長部分（９）が発火ダクト（１４）の伸長部を受け、ロッカーレバー発火装置（１０）が延長部分上に設置されている、請求項１から３のいずれか一項に記載の刺激体。
【請求項５】
隔室は、下方向に開口する室（１８）に向かって開いている側で、プラグ（２４）で密封されている、請求項１から４のいずれかの一項に記載の刺激体。
【発明の詳細な説明】
【０００１】
【発明が属する技術分野】
本発明は、例えば警察または軍に指定されている犯罪者に対する刺激を引き起こす手榴弾型の刺激体に関する。
【０００２】
【従来の技術】
刺激体は、特に、人質事件や、飛行機のハイジャックの際に用いて犯罪者を圧倒することに用いられる。刺激体は手榴弾の形にほぼ同様であり、活性炸薬または刺激効果炸薬、例えば爆発炸薬または閃光炸薬用の複数の隔室を有する円筒形容器を備えている。刺激効果炸薬は、手動で駆動できる点火装置、例えばロッカー点火装置を用いて点火する。遅延機構により、数秒間に渡って連続して個々の刺激効果炸薬に点火させることができる。個々の刺激効果炸薬の点火時に引き起こされる爆発音および、これに付随して起こる目潰し効果によって、それぞれの犯罪者対する刺激効果が生じる。
【０００３】
このような刺激体は、本出願人による国際特許第ＷＯ９４／０８２００号から知られている。この刺激体では、刺激効果炸薬を有する９個の放射方向外側向きの隔室が円筒形容器に収容されており、これらの隔室は中心軸を中心にしてオフセットするように配置されている。刺激効果炸薬用の点火装置には、容器の中心軸に沿って延びる遅延炸薬を有する共通の点火ダクトが備えられる。個々の隔室は、異なる高さで、点火ダクトと連結する。安全ロッカーレバー付きロッカー点火装置が手動点火のために容器に設置されている。
【０００４】
刺激体に点火するためには、同時にロッカーレバーを握るように刺激体を片手で持って、ロッカーレバーが容器上に載っている安全位置に保持する。もう一方の手で、例えば安全ピン等を引いて、ロッカーの安全装置を外す。刺激体を投げると、レバーはバネによって上向きに跳ね上がり、打撃ピンによって炸薬が点火される。点火後、容器内の全ての炸薬に時系列順に点火される。刺激効果炸薬の点火時に引き起こされる反動によって刺激体が放出される。特に閃光炸薬の場合、刺激効果が増大する。
【０００５】
しかし、安全装置の取り外し時にロッカーレバー点火装置を片手で持たない場合、レバーは安全装置を取り外す際に既に跳ね上がっており、この結果、刺激体を手に持っているにも関わらず、所定の条件下で刺激効果炸薬に点火されることがある。使用者は、刺激効果炸薬の放射方向に外向きの爆発によって手に怪我をしたり、火傷を負ったりするかもしれない。
刺激体は、上記した同じ刊行物から知られており、この刊行物では、全部で６個の隔室が刺激体の中心軸を中心として縦方向に配置され、これらの隔室は全長に渡って刺激体を貫通し、その上側と底側がプラグで密閉されている。刺激効果炸薬の点火時に、発射薬が容器から上下方向に発射される。
【０００６】
刺激体を前記のように不適切に扱い、刺激効果炸薬の点火時に持ったままでいる場合には、前記に記載の刺激体の場合と同様に、発射薬が手の平の方向へ直接発射することはなくなる。しかし、使用者は、上方向に発射する発射薬によって顔を怪我するであろう。下方向に発射する発射薬は、床の方向を向いていることが多いため、一般にそれ程危険ではない。
使用者が容器の上側の隔室を密閉して、実質的に顔に怪我をしないようにすれば、不適切な取扱い時でも少なくとも部分的には、怪我の危険性を防止できる。
【０００７】
【発明が解決しようとする課題】
しかしこの設計には下記の重大な欠点がある：
正しく投げた刺激体が地面に落ちて、刺激効果炸薬の点火時に発射薬が床または壁等といった付近の物に当たる場合、或いは刺激体が容器の底面を下にして起立する場合、刺激体は単数または複数の点火された刺激効果炸薬によって弾丸のように発射される。このような刺激体の制御されない動きによって、近くに位置する人を傷付ける危険性が高くなる。
本発明は、上記のような種類の刺激体を修正して、不適切に取扱う場合にも怪我の危険性を減らすという目的に基づいている。
【０００８】
【課題を解決するための手段】
この目的は、請求項１の特徴により本発明によって達成される。
従って、この刺激体では、刺激効果炸薬用の隔室は、発火装置が配置される容器の上側で密閉されているが、反対側の容器の底側では、共通の下方向に開口する室に向かって開口し、この室には側部に周方向に配置された複数の外方向開口部が備えられている。容器の下側で下方向に開口する室は、円筒形容器の延長部分およびその下側端部を形成する。
【０００９】
隔室を容器の上側で密閉することによって、不適切な取扱い時に発射薬が使用者の顔の方向に発射されることがなくなる。発射薬は室を通って脱出し、床の方向に爆発して、このため怪我の危険性がかなり減少する。
容器が偶然に室の開口面を下にして起立したり、この面が物体の近くになるような状態になったりしても、発射薬は室の横方向の開口部から脱出し、点火時に生じる反動はかなり減少する。この結果、刺激体が弾丸のように発射することはなくなり、最大でも最小限の無害な動きをするだけになる。
好ましい実施例では、室の長さは容器の全長の５分の１から３分の１となる。
刺激効果炸薬用隔室を有する容器は一体型の設計である。
【００１０】
【実施の態様】
ここで、本発明の刺激体の縦断面図を示す１つの図面を参照して、実施例で本発明を説明する。
この図において、参照番号２は刺激体を示し、この刺激体は、刺激効果炸薬８用の６個の隔室６を有する容器４を備えており、この隔室は縦方向に配置され、周方向に分散している。容器４はさらに、その上側に中心に位置する延長部９を有し、この延長部上には、安全ロッカー１２を有する手動駆動式ロッカーレバー発火装置１０が配置され、好ましくはネジ留めされている。発火ダクト１４として用いられる孔は容器の中心軸に沿って延び、この孔はまた延長部９を貫通する。個々の隔室６は穴開けされた穴１６で発火ダクト１４と連結し、これらの穴は発火ダクト１４および隔室６に対して直角に延び、互いにオフセットになるように連続して配置されている。
【００１１】
ロッカーレバー発火装置１０の反対側の容器の底側では、容器内に室１８が設けられ、室１８に向かって全隔室６が開口している。室の床２０は開いており、開口部２２が、周方向に一定間隔で容器の壁の側面に設けられている。
隔室６は、容器４を通ってロッカーレバー発火装置１０の側まで完全に導かれているわけではく、このため隔室は、ロッカーレバー発火装置１０の側で密封されている。室１８に向かって開口する隔室６の開口部は、隔室６が一旦刺激効果炸薬で満たされると、プラグ２４で密封される。発火ダクト１４は、室の空洞のすぐ前の容器内で終る。
【００１２】
容器４全体は、隔室６、発火ダクト１４、延長部９および室１８が一体になるように作られている。
ロッカーレバー発火装置１０による刺激効果炸薬の点火時に、炸薬は時系列順に点火され、刺激効果炸薬の爆発によってプラグ２４が室１８の床２０を通って放出され、閃光または爆発音のような効果が生じる。
【図面の簡単な説明】
【図１】  本発明の刺激体の縦断面図を示す。
【符号の説明】
４    容器
６    隔室
８    炸薬
１０  ロッカーレバー発火装置
１４  発火ダクト
１８  室
２２  側面開口部
２４  プラグ
【図１】
0004531316.tif 000002